(57)【要約】  【課題】患者を移動させる際の介護者の労力を低減させる移動用シートを提供する。  【解決手段】シート本体が円筒状または重ね合わされたシート状部材からなり、当該シート状部材が繊度８１デシテックス以下の長繊維糸から構成された平織物であって、且つ繊維間カバー率が３０００以上であることを特徴とする移動用シート。【選択図】図１
2005065901.tif 000002
【特許請求の範囲】
【請求項１】
シート本体が円筒状または重ね合わされたシート状部材からなり、当該シート状部材が繊度８１デシテックス以下の長繊維糸から構成され、且つ繊維間カバー率が３０００以上である平織物であることを特徴とする移動用シート。
【請求項２】
相対するシート面を２組以上有することを特徴とする請求項１に記載の移動用シート。
【請求項３】
相対するシート面のシート部材の地の目線が１５度〜７５度の角度で交差することを特徴とする請求項１または２に記載の移動用シート。
【請求項４】
該シート状部材の厚さが０．１６ｍｍ以下であることを特徴とする請求項１〜３のいずれかに記載の移動用シート。
【発明の詳細な説明】
【技術分野】
【０００１】
本発明は、自宅や施設、病院等において寝たきりの患者を介護する人が、患者の着替えやシーツ、敷き布団などの交換の際にベット上で患者を移動、方向転換させたり、また患者の検査や診察のために、ベッド等からストレッチャへ、ストレッチャから手術台や検査台等へ、あるいはその逆方向に患者を移動させるために用いる移動用シートに関するものである。
【背景技術】
【０００２】
従来、自宅や施設、病院等で寝たきりの患者の衣服の着替えやシーツ交換、褥瘡防止のための体位変更や、検査や治療のためのベッドまたはストレッチャへの移動をする時など、人手により患者を抱きかかえたり、引きずったり、持ち上げたりして患者を移動させていた。
【０００３】
このような患者の移動にはかなりの力を要し、特に体重の重い患者を持ち上げる場合は更に、複数の人手を必要とするものであった。
【０００４】
また、昨今では自宅で寝たきりの老人の介護を行う介護者も老人である場合やヘルパーの人が力の弱い女性であったりする場合も多く、しかも人手を集めることが困難であり一人で行わなくてはならないものとなっている。従って、患者を移動させることは介護者の体に多大な負担をかけるものであった。
【０００５】
また、患者の側も無理な体勢で移動させられたり、部分的に引っ張られたりすることがあり移動するにも苦痛を伴うものであった。
【０００６】
このような状況の中、介護者や患者の負担・苦痛を和らげ、患者の移動が容易な移動用の補助具として各種織編物やフィルムを用いた移動用シートが市販されるようになった。
【０００７】
公開特許公報においては患者を移動させることを目的とした移動用シートが提案されている。たとえば、平滑性布帛と波状布帛、あるいは畝方向の異なる別個の波状布帛同士を重ね、滑り合わせることで、相対するシート面間の摩擦抵抗を軽減させ、患者の移動、回動を容易にしたもの（特許文献１参照）、平滑シートと凹凸状シート同士を重ね、滑り合わせることで、相対するシート面間における摩擦抵抗を軽減させたもの（特許文献２参照）、ポリエチレン等の薄いフィルムを重ねたもの（特許文献３参照）等が提案されている。
【特許文献１】特開平７−８８１３４号公報
【特許文献２】特開平１０−２３４７９１号公報
【特許文献３】特開２００１−１７４７１公報
【発明の開示】
【発明が解決しようとする課題】
【０００８】
しかしながら、特許文献１、２の表面形状あるいは断面形状の異なるシート同士を重ね合わせた移動用シートは、シートを滑らせる方向、あるいは重ね合わせる方向によっては、異なる表面形状同士あるいは断面形状同士の引っかかりにより滑り性が逆に悪くなるという問題があった。また、折り畳んで携帯するには、シートの表面形状あるいは断面形状が異なるためシート面同士がかみ合わず、シート面間の隙間が大きくかさ高となり、収納、携帯し難いという問題があった。
【０００９】
さらに、特許文献３のフィルムを重ねた移動用シートは、長期に渡り寝たきりの患者の移動に使用するには、しわになりやすく、滑り性が悪化しやすいという問題に加え、透水性を有さず洗濯性が悪いという問題があった。
【００１０】
このように従来の移動用シートはいずれも操作が容易であるものの、滑り性および携帯性、移動距離において十分な性能を満足しうるものではなかった。
【００１１】
そこで、本発明の目的はかかる従来技術の欠点を改良し、家庭や病院で手軽に使用でき、かつ、今まで以上にあらゆる方向への滑り性を向上させ、移動距離および携帯性に優れた移動用シートを提供することにある。
【課題を解決するための手段】
【００１２】
前記目的を達成するため、本発明の移動用シートは下記の構成から成る。
【００１３】
すなわち、本発明の移動用シートの一態様は、シート本体が円筒状または重ねあわされたシート状部材からなり、当該シート状部材が繊度８１デシテックス以下の長繊維糸から構成された平織物であって、且つ繊維間カバー率が３０００以上であることを特徴とするものである。この移動用シートにおいては、好ましくは相対するシート面を２組以上有することを特徴とするものである。さらに好ましくは、相対するシート面の地の目線が１５度〜７５度の角度で交差することを特徴とするものである。さらに好ましくは、該シート状部材の厚さが０．１６ｍｍ以下の厚さであることを特徴とするものである。
【発明の効果】
【００１４】
本発明の移動用シートにより、自宅や病院等において寝たきりの患者を介護する人が、患者を動かす際、わずかな労力で移動させることができ、かつ持ち運びが容易で家庭や病院で手軽に使用できる移動用シートを得る事ができる。
【発明を実施するための最良の形態】
【００１５】
以下、図面に示す一態様を参照しつつ、本発明の移動用シートを詳細に説明する。
【００１６】
図１は、本発明の移動用シートの一態様を示す斜視図であり、図２は、本発明の移動用シートの他の態様の例を示す斜視図である。図３は、本発明の移動用シートのさらに他の態様の例を示す斜視図である。図４は、図１、図２および図３に示した移動用シートのシート状部材２の拡大図である。図５は、図１に示した移動用シートのシート本体１の上面図である。また、図６は、図１に示した移動用シートのシート本体１の展開図である。
【００１７】
本発明の移動用シートは、患者を動かす際に患者とベット等との間で発生する摩擦抵抗による患者自身の人体への負担・苦痛や介護者の労力を低下させるため、患者とベット等との間に配置する。移動用シートのシート状部材同士を接触させ、滑らせるための相対するシート面を構成する必要があるため、シート状部材を重ね合わせた、あるいは円筒状の構造物とする。そのためには、例えば、図１に示すようにシート状部材２を重ね合わせて構成されるシート本体１を接合部５で接合した構造、あるいは図２に示すように一体のシート状部材２をＳ字型に折り重ねて構成されるシート本体１を接合部５で接合した構造、図３に示すように一体のシート状部材２を円筒状に形成した構造を有する。  ここで、シート本体１における接合部５を接合する場合、接合部５の接合方法としては、縫糸を用いたミシン縫製、接着テープを用いた接合、高周波ウエルダーや超音波ミシンなどによる溶着など、接合方法は通常用いられる方法でなんら差し支えない。
また、接合部５は折り返しなどにより内部に隠された態様が好ましい。接合部５を内部に隠すことによりシート本体１を滑らせる際、キャタピラ機構による運動、すなわち回動運動を行う場合、シート外側が平坦なため接合部５とベッドあるいは人体との引掛りがなく、回動が容易である。
【００１８】
なお、本発明において相対するシート面とは、シート状部材２同士の各接触面をいい、具体的には図１〜３における符号３の部分を指す。
【００１９】
本発明の移動用シートを構成する要素として、シート本体１を構成するシート状部材２の素材が繊度８１デシテックス以下の長繊維糸からなり、且つ繊維間カバー率が３０００以上の織物を用いるものである。
【００２０】
本発明でいう繊維間カバー率とは、図４に示すように平織物を構成する繊維の糸幅の、繊維間のすき間に対する被覆率を現したもので、経糸６の糸幅８の平方根と１インチあたりの経糸６の本数の積および緯糸７の糸幅９の平方根と１インチあたりの緯糸７の本数の積の合計としたものである。尚、本発明における糸幅の単位はμｍとした。繊維間カバー率（Ｋ）は次計算式（１）で求める。
【００２１】
【数１】
2005065901.tif 000003
Ｎｔ：経糸密度（本／ｉｎｃｈ）
Ｎｙ：緯糸密度（本／ｉｎｃｈ）
Ｄｔ：経糸糸幅（μｍ）
Ｄｙ：緯糸糸幅（μｍ）
シート状部材２の素材に用いる平織物の繊維間カバー率としては，３０００以上であることが滑り性が良く好適である。シート状部材２に用いる平織物の繊維間カバー率が３０００未満であると、平織物を構成する経糸６と緯糸７間の隙間１０が広く、シート状部材２の滑り方向におけるせん断強力が低下し、シート状部材２を重ね合わせて滑らせる際、シート状部材２の滑り方向においてせん断変形が生じ滑り性が悪くなる。より好適には３０００〜３５００の範囲である。また経糸および緯糸の断面は特に限定されないが、楕円形状であることが糸幅が大きく繊維間カバー率大となり、より好ましい。
【００２２】
シート状部材２の素材に用いる平織物の繊維としては、長繊維であることが長期使用に耐えうる引張強度を有し、且つ表面が滑らかで全ての方向において滑り性が良く好適である。シート状部材２の素材にフィルムを用いると、引張強度が低く、使用中に破れる。シート状部材２の平織物の繊維に短繊維を用いると、シート状部材２を重ね合わせて滑らせる際、相対するシート面３において、織物を構成する短繊維の表面の毛羽による引掛りが生じ、滑り性が悪くなる。
【００２３】
シート状部材２の素材に用いる平織物の繊維の繊度としては，８１デシテックス以下であることが滑り性が良く好適である。シート状部材２の素材に用いる繊維の繊度が８２デシテックス以上であると、互いに交わりあって平織物を構成する経糸６と緯糸７間の高低差による段差が大きく、シート状部材２を重ね合わせて滑らせる際、相対するシート面３において、交わりあう経糸６と緯糸７間の高低差による段差が引掛り、滑り性が悪くなる。より好適には２０デシテックス〜４０デシテックスの範囲である。
【００２４】
また、本発明におけるシート状部材２の好適な組織構成として、図４に示すように、シート状部材２に用いる織物の織組織が平織物からなるものである。シート状部材２に用いる織物の織組織が綾織物あるいは朱子織物からなる織物を用いると、シート状部材２を重ね合わせて滑らせる際、シート状部材２を重ねる方向あるいは滑らせる方向により、相対するシート面３において、織物表面の畝による引掛りが生じ、滑り性が悪くなる。
【００２５】
本発明においては、シート状部材２の表面を平滑にし、引張強度を高めることにより、円筒状または重ね合わされたシート状部材２の相対するシート面３における滑り性を高めることが可能となる。
【００２６】
また、本発明の移動用シートを構成する他の要素として、図１、２および図６に示すようにシート本体１の機構において、シート状部材２の相対するシート面を２組以上設けて滑り合わせる機構とすることが好ましい。図１および図６の例ではシート状部材２を３枚重ねとし、重ね合わされたシート状部材２において、相対するシート面３の組数を１枚目シート状部材２ａ−２枚目シート状部材２ｂ間、および２枚目シート状部材２ｂ−３枚目シート状部材２ｃ間の計２組としたものである。
【００２７】
本発明における移動用シートは、重ね合わされたシート状部材２における相対するシート面３の組数を増すことにより、相対するシート面３間の滑り合わせによる相対移動距離を増加させ、シート本体１の移動距離をより多くさせることができるものであり、シート本体１の機構において、相対するシート面の組数は何組であってもよい。より好適には２〜４組の範囲が嵩張らず、シート本体１の移動距離および携帯性共に良く、より好ましい。
【００２８】
本発明においては、シート状部材２の相対するシート面を２組以上設けた機構とすることにより、重ね合わされたシート状部材２における相対するシート面３間の滑り合わせによる相対移動距離を増加させ、シート本体１の移動距離をより多く満足させることが可能となる。
【００２９】
なお、相対するシート面３を構成する方法としては、図１の複数枚のシート状部材２を積層する方法、図２の一枚のシート状部材２を折りたたむ方法、図３の円筒状のシート状部材２を使用する方法等があるが、もちろん、これらを組み合わせることも可能である。また、例えば円筒状のシート状部材２を２枚積層し接合すれば、相対するシート面３が３組となるシート本体１を作成することもできる。
【００３０】
また、相対するシート面３は２方向が開放されている態様、すなわち図１〜３のように２方向が接合された態様が好ましい。４方向または３方向が接合されていると、キャタピラ機構による運動、すなわち回動運動が行えず、シート面３の滑り合わせによる相対移動距離が少なく満足する効果が得にくい。また、３方向または４方向が開放されている、すなわち１方向のみ接合された態様または接合部を有さない態様では、自由度が大きく移動範囲は広いものの、まとまりがつきにくく収納性、携帯性という点でやや劣るものとなる。
【００３１】
また更に、本発明の移動用シートを構成する他の要素として、図５および図６に示すように、円筒状または重ね合わされたシート状部材２において、相対するシート面３の地の目線が１５度〜７５度の角度で交差することが好ましい。
【００３２】
ここでいう地の目線とは、図４に示すように、シート状部材２を構成する経糸６および緯糸７それぞれの軸方向のことであり、経糸６の地の目線１１と緯糸７の地の目線１２とからなる。
【００３３】
相対するシート面３における地の目線の交差角度１３は、１５度〜７５度であることが、滑り性が良く、好適である。１５度以下であると、相対するシート面３同士を滑り合わせる際、経糸６同士あるいは緯糸７同士が引掛り、滑り性が向上しない。逆に７５度以上であると、相対するシート面３を滑り合わせる際、経糸６と緯糸７が引掛り、滑り性が向上しない。より好適には３５度〜５５度の範囲が好ましい。
【００３４】
図５および図６の例ではシート状部材２を３枚重ね合わせ、重ね合わされたシート状部材２において、相対するシート面３における経糸６の地の目線１１同士および緯糸７の地の目線１２同士の交差角度１３、すなわち１枚目シート状部材２ａの経糸６の地の目線１１ａと２枚目シート状部材２ｂの経糸６の地の目線１１ｂ間、２枚目シート状部材２ｂの経糸６の地の目線１１ｂと３枚目シート状部材２ｃの経糸６の地の目線１１ｃ間、および１枚目シート状部材２ａの緯糸７の地の目線１２ａと２枚目シート状部材２ｂの緯糸７の地の目線１２ｂ間、２枚目シート状部材２ｂの緯糸７の地の目線１２ｂと３枚目シート状部材２ｃの緯糸７の地の目線１２ｃ間における地の目線同士の交差角度１３を４５度とし、シート本体１を構成したものである。
【００３５】
本発明においては、円筒状または重ね合わされたシート状部材２において、相対するシート面３の経糸６および緯糸７の地の目線を互いに交差させ滑り合わせることにより、より高い滑り性を満足させることが可能となる。
【００３６】
また更に、本発明の移動用シートの好ましい態様として、シート状部材２の厚さ４が０．１６ｍｍ以下であることが携帯性が良く好適である。
【００３７】
シート状部材２の厚さ４が０．１７ｍｍ以上であると、折り畳み収納する際、折り畳まれたシート本体１が嵩張り、携帯性が悪くなる。より好適には０．０５〜０．１２ｍｍの範囲が好ましい。
【００３８】
本発明の移動用シートは、より携帯性を高めるため、図１に示すようにシート本体１と一体、あるいは単独に、シート本体１を収納するためのポケット１４を設けたものであってもよい。その際、シート状部材２の厚さ４が０．１７ｍｍ以上であると、シート本体１の厚さが大きく収納が困難であるため、ポケットに若干のすき間、すなわちマチを設ける必要があり、作成に手間を要するが、シート状部材２の厚さ４が０．１６ｍｍ以下であると、ポケットにマチを設けずともシート本体の１の収納が容易となり、好適である。      
【００３９】
本発明においては、シート状部材２の厚さ４を薄くすることにより、シート本体１の携帯性を高めることが可能となる。
【００４０】
本発明におけるシート本体１を構成するシート状部材２は、消臭、抗菌性を付与するために消臭剤や抗菌剤を添加したり、防水性を付与するためのウレタンやアクリル等をコーティングして用いてもよく、さらには、人体と接する面、すなわちシート本体１の外側に位置するシート状部材２のシート面において、人体の滑りを防止する防滑剤のコーティング、フィルム等をラミネートしたものであってもよいし、吸汗性を付与するためのタオルや中綿を挿入したキルティング状の布帛を設けたものであってもよい。またさらに、円筒状または重ね合わされたシート状部材２の相対するシート面３において、より滑り性を高めるためにフッ素系やシリコン系の仕上げ剤を添加することはなんら差し支えない。
【００４１】
本発明におけるシート状部材２の素材となる繊維は、天然繊維、化学繊維、合成繊維のいずれでもよく、より好適にはポリアミドやポリエステル等のフィラメント糸が滑り性や耐摩耗性に優れ、より好ましい。特にフッ素繊維を用いた場合、高い滑り性を有し、より滑り性に優れた移動用シートを構成することが可能となり、より好ましい。
【００４２】
本発明の移動用シートは、被介護者だけでなく健常者においても、車下や高さの低い台下に仰向けの姿勢で潜り作業を行う際、背中に敷いて使用することにより人体の移動を容易にすることが可能となる。つまり、介護具だけでなく、移動用シートとして広く使用することができる。
【実施例】
【００４３】
以下、本発明を実施例および比較例を挙げてさらに具体的に説明するが、本発明はこれらに限定されるものではない。
【００４４】
実施例および比較例において用いた移動用シートの滑り性、移動距離、携帯性の評価基準を表１に示す。評価点数の合計点数を総合評価とし、総合評価が大きいものほど優れている。
【００４５】
（１）滑り性評価
移動用シート上に荷重を載せ、前後左右に引張ったときの摩擦係数を５段階で評価した。摩擦係数の測定方法はＪＩＳ  Ｋ  ７１２５を使用し、荷重１ｋｇ、引張速度１ｍ／ｍｉｎで引張ったときの摩擦係数を測定した。本発明の移動用シートは、評価点数が高い、すなわち摩擦係数が小さいほど滑り性に優れている。評価点４点以上、すなわち摩擦係数２．５未満の範囲を有効とした。評価基準を表１に示す。
【００４６】
（２）移動距離評価
移動用シート上に実際に人（患者役、体重約６０ｋｇ）を横たえ、移動方向として左右の方向（患者役からみて横方向）に一直線上に移動させたときの移動距離を金尺を使用して実寸測定し、５段階で評価した。本発明の移動用シートは、評価点数が高いほど移動距離に優れている。評価点３点以上、すなわち移動距離４０ｃｍ以上の範囲を有効とした。評価基準を表１に示す。
【００４７】
（３）携帯性評価
８０ｃｍ×７５ｃｍの移動用シートを１６折りに折り畳んだときの厚さを測定し、５段階で評価した。厚さの測定方法は、ＪＩＳ  Ｌ  １０９６  普通法を使用し、２３．５ｋｐａの圧力をかけたときの厚さを測定した。本発明の移動用シートは、評価点数が高い、すなわち折り畳んだ時の厚さが薄いほど携帯性に優れている。評価点４点以上、すなわち折り畳んだ時厚さ６ｍｍ未満の範囲を有効とした。評価基準を表１に示す。
【００４８】
【表１】
2005065901.tif 000004
（実施例１）
図１、図５、図６および表２に示した移動用シート、すなわちシート状部材２が繊度３３デシテックスのポリエステル長繊維糸から構成された繊維間カバー率３２７６、厚さ４が０．０６ｍｍの平織物であり、シート状部材２を３枚重ね合わせ、重ね合わされたシート状部材２において、相対するシート面３の組数を１枚目シート状部材２ａ−２枚目シート状部材２ｂ間、および２枚目シート状部材２ｂ−３枚目シート状部材２ｃ間の計２組とし、相対するシート面３間における経糸６の地の目線１１同士および緯糸７の地の目線１２同士の交差角度１３を４５度とし、互いに交差させシート本体１を構成した移動用シートの、滑り性、移動距離、携帯性を、表１の評価基準により５段階で評価し、各評価項目の合計点数を総合評価とした。表３にその結果を示す。
【００４９】
なお、経糸６の糸幅８は１８１．７μｍ、緯糸７の糸幅９は２６５．８μｍとし、密度は経糸６、緯糸７共に１１０本／インチとした。また、シート本体１の接合部５方向の寸法は８０ｃｍ、接合部５方向に直交する方向の寸法は７５ｃｍとした。接合部５はミシン縫製により接合し、シート状部材２を接合部５で折り返し、接合部５がシート本体１の内側にくるように設けた。また、１枚目シート状部材２ａにポケット１４をシート本体１と一体となるように設けた。
【００５０】
（実施例２）
表２に示した移動用シート、すなわちシート状部材２が繊度４９デシテックスのナイロン長繊維糸から構成された繊維間カバー率３１００、厚さ４が０．０７ｍｍの平織物であり、シート状部材２を４枚重ね合わせ、重ね合わされたシート状部材２において、相対するシート面３の組数を３組とし、相対するシート面３間における経糸６の地の目線１１同士および緯糸７の地の目線１２同士の交差角度１３を７５度とし、互いに交差させシート本体１を構成した移動用シートの、滑り性、移動距離、携帯性の評価を行った。表３にその結果を示す。
【００５１】
なお、経糸６の糸幅８および緯糸７の糸幅９は共に２４０．３μｍとし、経糸６の密度および緯糸７の密度は共に１００本／インチとし、その他の構成は実施例１と同様にした。
【００５２】
（実施例３）
表２に示した移動用シート、すなわちシート状部材２が繊度６０デシテックスのポリエステル長繊維糸から構成された繊維間カバー率３０１２、厚さ４が０．１３ｍｍの平織物であり、シート状部材２を２枚重ね合わせ、重ね合わされたシート状部材２において、相対するシート面３の組数を１組とし、、相対するシート面３間における経糸６の地の目線１１同士および緯糸７の地の目線１２同士の交差角度１３を１５度とし、互いに交差させシート本体１を構成した移動用シートの、滑り性、移動距離、携帯性の評価を行った。表３にその結果を示す。
【００５３】
なお、経糸６の糸幅８および緯糸７の糸幅９は共に２８０．０μｍとし、経糸６の密度および緯糸７の密度は共に９０本／インチとし、その他の構成は実施例１と同様にした。
【００５４】
（実施例４）
表２に示した移動用シート、すなわちシート状部材２が繊度８０デシテックスのポリエステル長繊維糸から構成された繊維間カバー率３０５０、厚さ４が０．１６ｍｍの平織物であり、シート状部材２を２枚重ね合わせ、重ね合わされたシート状部材２において、相対するシート面３の組数を１組とし、相対するシート面３間における経糸６の地の目線１１同士および緯糸７の地の目線１２同士の交差角度１３を０度とし、シート本体１を構成した移動用シートの、滑り性、移動距離、携帯性の評価を行った。表３にその結果を示す。
【００５５】
なお、経糸６の糸幅８および緯糸７の糸幅９は共に２９０．１μｍとし、経糸６の密度および緯糸７の密度は共に９０本／インチとし、その他の構成は実施例１と同様にした。
【００５６】
（比較例１）
実施例４の移動用シートにおいて、シート状部材２の繊度が８９デシテックス、繊維間カバー率が２９５２、厚さ４が０．２０ｍｍである場合の、滑り性、移動距離、携帯性の評価を行った。表３にその結果を示す。
【００５７】
なお、経糸６の糸幅８および緯糸７の糸幅９は共に３００．０μｍとし、経糸６の密度および緯糸７の密度は共に８４本／インチとした。
【００５８】
（比較例２）
実施例４の移動用シートにおいて、シート状部材２の繊度が９０デシテックス、繊維間カバー率が３１００、厚さ４が０．１９ｍｍであり、シート状部材２の織組織が綾織物である場合の、滑り性、移動距離、携帯性の評価を行った。表３にその結果を示す。
【００５９】
なお、経糸６の糸幅８および緯糸７の糸幅９は共に３０５．０μｍとし、経糸６の密度および緯糸７の密度は共に８８本／インチとした。
【００６０】
（比較例３）
表２に示した移動用シート、すなわちシート状部材２が繊度１２０デシテックスの綿短繊維糸から構成された繊維間カバー率が２９００、厚さ４が０．２３ｍｍの平織物であり、シート状部材２を３枚重ね合わせ、重ね合わされたシート状部材２において、相対するシート面３の組数を２組とし、相対するシート面３間における経糸６の地の目線１１同士および緯糸７の地の目線１２同士の交差角度１３を５度とし、互いに交差させシート本体１を構成した移動用シートの、滑り性、移動距離、携帯性の評価を行った。表３にその結果を示す。
【００６１】
なお、経糸６の糸幅８および緯糸７の糸幅９は共に３５０．０μｍとし、経糸６の密度および緯糸７の密度は共に７７本／インチとし、その他の構成は実施例１と同様にした。
【００６２】
（比較例４）
表２に示した移動用シート、すなわちシート状部材２の厚さ４が０．２２ｍｍのフィルム状シートを２枚重ね合わせ、重ね合わされたシート状部材２において、相対するシート面３の組数を１組とし、シート本体１を構成した移動用シートの、滑り性、移動距離、携帯性の評価を行った。表３にその結果を示す。なお、その他の構成は実施例１と同様にした。
【００６３】
（比較例５）
表２に示した移動用シート、すなわちシート状部材２における厚さ４が０．３０ｍｍのゴム製シートより構成された移動用シートの、滑り性、移動距離、携帯性の評価を行った。表３にその結果を示す。なお、その他の構成は実施例１と同様にした。
【００６４】
表３から明らかなように、本発明の移動用シートは、シート状部材２の繊度が小さいほど、または繊維間カバー率が大きいほど滑り性の優れた移動用シートとなった。また重ね合わせるシート状部材２の相対するシート面３における経糸６の地の目線１１同士および緯糸７の地の目線１２同士の交差角度１３を１５度〜７５度とした場合、より滑り性の優れた移動用シートとなった。
また、重ね合わされたシート状部材２において、相対するシート面３の組数を１組設けた場合、比較例に対して移動距離に変化は見られなかったものの、重ね合わされたシート状部材２の相対するシート面３の組数を２組以上設けた場合、移動距離の優れた移動用シートとなった。
【００６５】
また更に、シート本体１において、シート状部材２の厚さ４が薄いほど、携帯性の優れた移動用シートとなった。
【００６６】
すなわち、本発明の移動用シートは、発明の要素を多く満たす程、総合評価は高いものとなった。以上の結果を表２と表３に示す。
【００６７】
【表２】
2005065901.tif 000005
【００６８】
【表３】
2005065901.tif 000006
【産業上の利用可能性】
【００６９】
本発明は、自宅や施設、病院等において寝たきりの患者を介護する人が、患者の着替えやシーツ、敷き布団などの交換の際にベット上で患者を移動、方向転換させたり、また患者の検査や診察のために、ベッド等からストレッチャへ、ストレッチャから手術台や検査台等へ、あるいはその逆方向に患者を移動させるための移動用シートして利用することができる。
【図面の簡単な説明】
【００７０】
【図１】本発明の移動用シートの一態様を示す斜視図である。
【図２】本発明の移動用シートの他の態様の例を示す斜視図である。
【図３】本発明の移動用シートの他の態様の例を示す斜視図である。
【図４】図１、図２および図３に示した移動用シートのシート状部材の拡大図である。
【図５】図１に示した移動用シートのシート本体１の上面図である。
【図６】図１に示した移動用シートのシート本体１の展開図である。
【符号の説明】
【００７１】
１：シート本体
２：シート状部材
２ａ：１枚目シート状部材
２ｂ：２枚目シート状部材
２ｃ：３枚目シート状部材
３：シート状部材の相対するシート面
４：シート状部材の厚さ
５：シート本体の接合部
６：シート状部材の経糸
７：シート状部材の緯糸
８：経糸の糸幅
９：緯糸の糸幅
１０：経糸−緯糸間の隙間
１１：経糸の地の目線
１１ａ：１枚目シート状部材の経糸の地の目線
１１ｂ：２枚目シート状部材の経糸の地の目線
１１ｃ：３枚目シート状部材の経糸の地の目線
１２：緯糸の地の目線
１２ａ：１枚目シート状部材の緯糸の地の目線
１２ｂ：２枚目シート状部材の緯糸の地の目線
１２ｃ：３枚目シート状部材の緯糸の地の目線
１３：地の目線同士の交差角度
１４：ポケット
【図１】
2005065901.tif 000007
【図２】
2005065901.tif 000008
【図３】
2005065901.tif 000009
【図４】
2005065901.tif 000010
【図５】
2005065901.tif 000011
【図６】
2005065901.tif 000012